(57)【特許請求の範囲】
【請求項１】
遊技領域に、演出装置と画像表示画面とを有する遊技機において、
前記演出装置は、第１演出部材を前記画像表示画面の少なくとも一部を遮る遮蔽位置と、この遮蔽位置の上方にあって前記画像表示画面を遮らない待機位置との間を往復動させる往復動手段と、
第２演出部材を円弧状に移動させるとともに、当該第２演出部材を円弧状に移動させる際に前記遮蔽位置にある前記第１演出部材を横切らせる円弧状駆動手段とを備え、
前記往復動手段は、遊技盤に固定された駆動手段と、この駆動手段によって上下に往復動される可動部材を備え、
前記可動部材に前記第１演出部材が取り付けられていることを特徴とする遊技機。
【請求項２】
前記円弧状駆動手段は、遊技盤に基端部が回動可能に取り付けられた回動アームと、この回動アームを回動させる回動駆動手段とを備え、
前記回動アームの先端部に前記第２演出部材が取り付けられていることを特徴とする請求項１に記載の遊技機。
【発明の詳細な説明】
【技術分野】
【０００１】
本発明は、動作することにより遊技を演出する演出装置を備えた遊技機に関する。
【背景技術】
【０００２】
パチンコ遊技機では、様々なキャラクタ（映画・演劇・小説・漫画などに登場する人物、動物、生物などの役）が用いられる場合があり、パチンコ遊技機に備えられた演出表示装置の画像表示画面にそのキャラクタが表示されたり、遊技盤面に描かれる絵がキャラクタに対応するものであったり、遊技盤面等の装飾部材に立体化されたキャラクタが用いられたりする。
【０００３】
また、キャラクタ、または、そのキャラクタと強い繋がりがあるサブキャラクタ（キャラクタがいつも持っている道具や、いつも身に着けている装飾品や、キャラクタが飼っているペットなど）の立体像を動作させることにより、遊技を演出する（可動）演出部材が知られている。（例えば特許文献１および特許文献２参照）。
【０００４】
特許文献１に記載の遊技機では、演出部材が移動に備える待機位置と画像表示画面の前側に位置する演出位置との間を移動する構成となっている。
演出部材には横方向に延在する連結支持部材が連結されており、この連結支持部材が縦方向に延在する支持部材によって上下に移動自在に支持されている。なお、支持部材は、演出部材を待機位置と演出位置との間で移動案内するスリット部を有している。
【０００５】
特許文献２に記載の遊技機では、可動役物（演出部材）が、斜め方向へ往復動自在に移動する第一装飾役物部と、この第一装飾役物部の一側に対向して配置され、第一装飾役物部と摺動自在に当接する第二装飾役物部とによりひとまとまりの装飾役物として構成されており、第一装飾役物部と第二装飾役物部とが摺動自在に連結されている。
【先行技術文献】
【特許文献】
【０００６】
【特許文献１】特開２００９−８２４００号公報
【特許文献２】特開２０１１−２５０８９２号公報
【発明の概要】
【発明が解決しようとする課題】
【０００７】
ところで、遊技機では、（可動）演出部材の立体形状が遊技者に強い印象を与えるのは勿論のこと、演出部材の動作によっても遊技者に視覚を通して強い印象を与えることができる。
しかし、特許文献１に記載の遊技機では、演出部材が上下動するのみであり、また、特許文献２に記載の遊技機では、演出部材が斜め方向へ往復動自在に移動するが、この移動は画像表示画面の前でのみの移動であり、演出が単調となりがちであるため、演出効果の高い動作が可能な演出装置を備えた遊技機が求められている。
【０００８】
本発明は、前記事情に鑑みて為されたもので、演出効果の高い動作が可能な演出装置を備えた遊技機を提供することを目的とする。
【課題を解決するための手段】
【０００９】
上記目的を達成するために、本発明の遊技機は、遊技領域に、演出装置と画像表示画面とを有する遊技機において、
前記演出装置は、第１演出部材を前記画像表示画面の少なくとも一部を遮る遮蔽位置と、この遮蔽位置の上方にあって前記画像表示画面を遮らない待機位置との間を往復動させる往復動手段と、
第２演出部材を円弧状に移動させるとともに、当該第２演出部材を円弧状に移動させる際に前記遮蔽位置にある前記第１演出部材を横切らせる円弧状駆動手段とを備え、
前記往復動手段は、遊技盤に固定された駆動手段と、この駆動手段によって上下に往復動される可動部材を備え、
前記可動部材に前記第１演出部材が取り付けられていることを特徴とする。
【００１０】
本発明においては、往復動手段によって、第１演出部材が画像表示画面の少なくとも一部を遮る遮蔽位置と、この遮蔽位置の上方にあって画像表示画面を遮らない待機位置との間を往復動する。
そして、円弧状駆動手段によって、第２演出部材が円弧状に移動して、遮蔽位置にある第１演出部材を横切る。
したがって、遊技者にとって、第２演出部材が第１演出部材を横切る際に、従来にない視覚的な演出効果を得ることができる。よって、演出効果の高い動作が可能な演出装置を備えた遊技機を得ることができる。
【００１２】
また、可動部材が駆動手段によって上下に往復動するので、この可動部材に取り付けられた第１演出部材を遮蔽位置と待機位置との間で容易かつスムーズに往復動させることができる。
【００１３】
また、本発明の前記構成において、円弧状駆動手段を、遊技盤に基端部が回動可能に取り付けられた回動アームと、この回動アームを回動させる回動駆動手段とを備えた構成とし、前記回動アームの先端部に前記第２演出部材を取り付けるのか好ましい。
【００１４】
これにより、回動アームが回動駆動手段によって基端部を回動軸として回動するので、この回動アームの先端部に取り付けられた第２演出部材を容易かつスムーズに円弧状に移動させることができる。
【発明の効果】
【００１５】
本発明によれば、第２演出部材が第１演出部材を横切る際に、従来にない視覚的な演出効果を得ることができるので、演出効果の高い動作が可能な演出装置を備えた遊技機を得ることができる。
【図面の簡単な説明】
【００１６】
【図１】本発明の実施の形態に係る遊技機を示すもので、その斜視図である。
【図２】同、第１演出部材が待機位置にある状態を示す遊技盤の正面図である。
【図３】同、第１演出部材が下降した状態を示す遊技盤の正面図である。
【図４】同、第２演出部材が下降した状態を示す遊技盤の正面図である。
【図５Ａ】同、往復動手段を示すもので、第２演出部材が下降している状態を示す正面図である。
【図５Ｂ】同、往復動手段を示すもので、第２演出部材が遮蔽位置にある状態を示す正面図である。
【図６Ａ】同、第１演出部材と離間手段を示すもので、演出部材片どうしが当接している状態を示す正面図である。
【図６Ｂ】同、第１演出部材と離間手段を示すもので、演出部材片どうしが離間している状態を示す正面図である。
【図７】同、演出部材片を示す正面図である。
【図８】同、第２演出部材が待機状態にある円弧状駆動手段を示す正面図である。
【図９】同、第２演出部材が下降した状態の円弧状駆動手段を示す正面図である。
【図１０】同、第２演出部材が最下降位置にある状態の円弧状駆動手段を示す正面図である。
【図１１】同、可動部材が離れた状態の他の演出装置を示す正面図である。
【図１２】同、可動部材が接近している状態の演出装置を示す正面図である。
【図１３】同、可動部材が近接した状態の演出装置を示す正面図である。
【図１４】同、可動部材が近接した状態の遊技盤の正面図である。
【発明を実施するための形態】
【００１７】
以下、本発明の実施の形態について図面を参照して説明する。
図１に示すように、この実施の形態のパチンコ遊技機（遊技機）は、遊技店の島設備に設置される縦長の矩形状の機枠１と、機枠１に扉状に開閉自在に取り付けられた前面枠２と、前面枠２に収納された遊技盤３（図２に図示）と、前面枠２の前面に扉状に開閉自在に取り付けられ、中央に大きく開口部５が形成されたガラス扉４と、このガラス扉４の開口部５に取り付けられた透明な二重ガラス板６と、前記ガラス扉４の前面の前記二重ガラス板６の下に設けられ、遊技球を収容する上皿７および上皿７から溢れる遊技球を収容するとともに遊技球を一時的に貯留する下皿８と、前記ガラス扉４の上皿７および下皿８の向かって右側に設けられる発射操作装置（ハンドル）９とを備えている。前記ガラス扉４の上皿７の向かって右側には、貸球の払出操作等を行う操作部１０が設けられ、上皿７の前側には遊技者による操作が可能な演出ボタン１１が設けられている。
【００１８】
図２に示すように遊技盤３の盤面（前面）には、前記二重ガラス板６との間に遊技領域１２が設けられている。遊技盤３の盤面には、その略中央部に後側に凹んだ凹所１３が形成され、この凹所１３の後部に演出表示装置（可変表示装置）としての液晶表示装置１４の画像表示画面１５が略鉛直方向に沿って配置されている。
また、前記遊技盤３は透明または透光性を有する樹脂によって形成されており、適宜の個所に発光素子が設けられており、この発光素子は以下に述べるような各種演出装置の動作に合わせて点滅、点灯または消灯するようになっている。
【００１９】
また、凹所１３の周囲には、画像表示画面１５の周囲を装飾するとともに、遊技盤３の盤面から前側に突出して設けられ、画像表示画面１５の前側を遊技球が通過するのを阻止する画面用装飾部材１６が備えられている。
なお、画面用装飾部材１６は、矩形状の画像表示画面１５の周縁部と重なっており、画像表示画面１５は、画面用装飾部材１６の内側の開口１７から露出する部分だけが視認可能になっている。
【００２０】
また、画面用装飾部材１６の画像表示画面１５の下側は、ステージ１８となっており、ステージ１８上には、遊技球が、所謂ワープ流路を経るか、ステージ１８の下側から跳ねることにより進入可能になっている。
【００２１】
図２および図３に示すように、前記遊技領域１２に演出装置２０が設けられている。この演出装置２０は、第１演出部材２１を画像表示画面１５の少なくとも一部（例えば遊技情報を表示する領域）を遮る遮蔽位置Ａ１と、この遮蔽位置Ａ１の上方にあって画像表示画面１５を遮らない待機位置Ａ２との間を往復動させる往復動手段２２と、第２演出部材２３を円弧状に移動させるとともに、当該第２演出部材２３を円弧状に移動させる際に、遮蔽位置Ａ１にある第１演出部材２１（図４参照）をその裏側で横切らせる円弧状駆動手段２４とを備えている。
【００２２】
前記第１演出部材２１は、左右一対の演出部材片２１ａ，２１ｂを有している。また、演出装置２０は、第１演出部材２１が図２〜図４に示す遮蔽位置Ａ１にある場合に、右方の演出部材片２１ｂを左方の演出部材片２１ａに対して少なくとも横方向（本実施の形態では、右斜め下方）に離間させる離間手段２５を備えている（図５Ａ参照）。この離間手段２５については後述する。
【００２３】
前記往復動手段２２は、図５Ａ、図５Ｂに示すように、遊技盤３に設けられた駆動手段３０と、この駆動手段３０によって上下に往復動される可動部材３１を備えており、この可動部材３１に第１演出部材２１が取り付けられている。
【００２４】
駆動手段３０は、遊技盤３等に固定された取付板２９に取り付けられたモータ３０ａと、このモータ３０ａの駆動軸に取り付けられたモータギヤ３０ｂと、取付板２９に取り付けられるとともにモータギヤ３０ｂに噛合するピニオンギヤ３０ｃとを備えている。そして、駆動手段３０では、モータ３０ａの駆動軸によってモータギヤ３０ｂが正逆方向に回転駆動されることによって、当該モータギヤ３０ｂを介してピニオンギヤ３０ｃが正逆方向に回転するようになっている。
【００２５】
前記可動部材３１は、縦方向に長尺な縦型可動部材３２と、この縦型可動部材３２にほぼ直角に固定された横方向に長尺な横型可動部材３３とから構成されている。前記取付板２９には縦方向に長尺なガイドシャフト３４が取り付けられており、このガイドシャフト３４に前記縦型可動部材３２が上下に摺動可能に係合している。
また、縦型可動部材３２の外側面にはラック３２ｃが上下に延在して取り付けられており、このラック３２ｃに前記ピニオンギヤ３０ｃが噛合している。
したがって、ピニオンギヤ３０ｃが正逆方向に回転することによって、ラック３２ｃを介して縦型可動部材３２が横型可動部材３３とともに上下に移動、つまり、可動部材３１が上下に移動するようになっている。
【００２６】
また、取付板２９には前記ガイドシャフト３４より上方位置に、フォトセンサ３５が設けられており、可動部材３１の上部には位置検出用の突出部３６が設けられている。そして、前記駆動手段３０によって上下に往復動される可動部材３１は、その最上昇位置で突出部３６をフォトセンサ３５が検知することによって、モータ３０ａが停止されて、前記最上昇位置で停止位置決めされる。
また、取付板２９には可動部材３１の最上昇位置と、最下降位置でそれぞれ当該可動部材３１に当接して、それ以上の上昇および下降を阻止するストッパ（図示省略）が設けられている。
【００２７】
前記横型可動部材３３は、その基端部（左端部）が縦型可動部材３２と直角に交差している。また、取付板２９には、前記ガイドシャフト３４と平行に他のガイドシャフト３７が取り付けられており、このガイドシャフト３７に横型可動部材３３が上下に摺動可能に係合している。
さらに、横型可動部材３３の先端（右端）側には、ガイドシャフト３８が前記ガイドシャフト３７と平行に設けられており、このガイドシャフト３８に横型可動部材３３の先端部が上下に摺動可能に係合している。このように、横型可動部材３３はその基端部および先端部がそれぞれガイドシャフト３７，３８に摺動可能に係合しているので、上下方向に安定的に移動可能となる。
【００２８】
前記第１演出部材２１を構成している左右一対の演出部材片２１ａ，２１ｂを離間させる離間手段２５は以下のように構成されている。
すなわちまず、離間手段２５は、可動部材３１の横型可動部材３３に設けられて、第１演出部材２１が遮蔽位置Ａ１に位置する際に、水平方向に移動されるインナーアーム（アーム）４０と、このインナーアーム４０に係合して当該インナーアーム４０の水平移動によって回転されるクランクギヤ（回転部材）４１を有している。
【００２９】
インナーアーム４０は、図５Ａ、図５Ｂ、図６Ａ、図６Ｂに示すように、横型可動部材３３の内部に挿通されており、その基端部（左端部）にはガイドローラ４２が取り付けられており、このガイドローラ４２は前記取付板２９に形成されたガイド部４３に上下に移動可能に係合されている。ガイド部４３は上下に長尺な長孔であり、その下端部は外側に向けて傾斜した傾斜ガイド部４３ａとなっている。つまり、傾斜ガイド部４３ａは、下方に行くに従って第１演出部材２１から横方向（水平方向）に離間するように傾斜している。
【００３０】
前記インナーアーム４０には、図６Ａおよび図６Ｂに示すように、横方向に長い長孔で構成されたガイド部４０ａ，４０ａが左右に離間して形成されており、このガイド部４０ａ，４０ａに、横型可動部材３３に設けられた突出部４５，４５が摺動可能に係合している。これによって、インナーアーム４０は左右にスムーズに移動できるようになっている。
また、横型可動部材３３の内部には、他のインナーアーム４４が前記インナーアーム４０と同軸にかつ当該インナーアーム４０と左右方向に離間して挿入固定されており、他のインナーアーム４４の先端部（右端部）は前記ガイドシャフト３８に上下に摺動可能に係合されている。
【００３１】
そして、インナーアーム４０は、横型可動部材３３とともに下方に移動（下降）して、ガイドローラ４２が傾斜ガイド部４３ａに入ると、図５Ａおよび図５Ｂに示すように、左方に水平移動される。なお、インナーアーム４０は横型可動部材３３とともに下降しているので、実際は下方に移動しつつ左方に水平移動される。
【００３２】
前記インナーアーム４０の先端部にはラック４０ｂが形成されており、このラック４０ｂに前記クランクギヤ４１が噛合している。クランクギヤ４１はピニオンギヤ４１ｂとこのピニオンギヤ４１ｂから径方向外側に突出する突出部４１ａを備えており、この突出部４１ａはピニオンギヤ４１ｂの正逆方向への回転に伴ってピニオンギヤ４１ｂの軸を中心として、上下に回動するようになっている。
【００３３】
前記第１演出部材２１を構成する右側の演出部材片２１ｂには、図６Ａ、図６Ｂ、図７に示すように、長孔で構成された３つのガイド部４６，４７，４８が形成されている。ガイド部４６，４７は横型可動部材３３に対して同一方向（右下方向）に傾斜しており、ガイド部４８はガイド部４６，４７と逆方向（左下方向）に傾斜している。
一方、左側の演出部材片２１ａには、図６Ａ、図６Ｂに示すように、突出部４９，５０，５１が設けられており、突出部４９が前記ガイド部４６に摺動可能に係合しており、突出部５０，５１が前記ガイド部４７に摺動可能に係合している。これによって、演出部材片２１ｂは演出部材片２１ａに対して、左右方向と上下方向に接離可能となっている。なお、演出部材片２１ａは横型可動部材３３に固定されている。
【００３４】
また、前記ガイド部４８には、クランクギヤ４１の突出部４１ａが摺動可能に係合しており、クランクギヤ４１の回転（反時計方向への回転）に伴って、ガイド部４８の内面（下側の内面）が突出部４１ａによって押され、これによって、演出部材片２１ｂが演出部材片２１ａに対して右斜め下方に移動（下降）するようになっている。また、演出部材片２１ｂが演出部材片２１ａから離れた状態において、クランクギヤ４１の逆方向への回転（時計方向への回転）に伴って、ガイド部４８の内面（上側の内面）が突出部４１ａによって押され、これによって、演出部材片２１ｂが演出部材片２１ａに対して左斜め上方に移動（上昇）して接近するようになっている。
【００３５】
このような構成の離間手段２５では、横型可動部材３３が下降して、図５Ｂに示すように、インナーアーム４０のガイドローラ４２が傾斜ガイド部４３ａに入り込むと、当該インナーアーム４０が左方に移動する。このインナーアーム４０の移動によって、ラック４０ｂに噛合しているクランクギヤ４１が回転（反時計方向への回転）し、これによって、ガイド部４８の内面が突出部４１ａによって押され、演出部材片２１ｂが演出部材片２１ａに対して右斜め下方に移動（下降）して、当該演出部材片２１ａに対して右斜め下方に離間する（図４、図５Ｂ、図６Ｂ参照）。
【００３６】
次に、前記第２演出部材２３を円弧状に移動させるとともに、当該第２演出部材２３を円弧状に移動させる際に遮蔽位置Ａ１にある第１演出部材２１をその裏側で斜めに横切らせる円弧状駆動手段２４について説明する。
【００３７】
図８に示すように、第２演出部材２３は、略矩形のカード状に形成されており、その中心部を回転軸として回転可能となっている。なお、第２演出部材２３の外周部には装飾部２３ａが形成されている。
【００３８】
円弧状駆動手段２４は、遊技盤３の上右隅部に固定された取付板５５に基端部が回動可能に取り付けられた回動アーム５６と、この回動アーム５６を回動させる回動駆動手段５７とを備えている。
回動アーム５６は基端部側の軸５６ａを回動軸として先端部側を上下に回動可能であり、回動アーム５６の基端部と取付板５５に下部に設けられたピンとに、バネ５８の上下端部がそれぞれ係止されている。バネ５８は引っ張りバネであり、回動アーム５６を押し上げる方向に付勢している。
【００３９】
回動アーム５６の基端部には、モータ６０、ギヤ６１，６２が取り付けられており、ギヤ６１とギヤ６２は噛合している。モータ６０の駆動軸によってギヤ６１が回転され、さらにギヤ６２が回転するようになっている。
一方、回動アーム５６の先端部には、ギヤ６３，６４が取り付けられており、ギヤ６３の軸部とギヤ６２の軸部とにベルト６５が掛けられている。ギヤ６４はギヤ６３に噛合しており、ギヤ６４の回転軸６４ａに前記第２演出部材２３の中心部が取り付けられている。
したがって、モータ６０の駆動軸を回転させることにより、ギヤ６１，６２、ベルト６５、ギヤ６３，６４を介して第２演出部材２３がその中心回り、すなわちギヤ６４の回転軸６４ａを回転軸として回転するようになっている。
なお、モータ６０は回動アーム５６の表面側に取り付けられ、ギヤ６１，６２、ベルト６５、ギヤ６３，６４は回動アーム５６の裏面側に取り付けられている。
【００４０】
前記回動駆動手段５７は以下のように構成されている。
すなわちまず、前記取付板５５の上部に、モータ（ステッピングモータ）７０、クランクギヤ７１が取り付けられ、このクランクギヤ７１にリンク部材７２が係合している。
モータ７０の駆動軸にはギヤ７０ａが取り付けられており、このギヤ７０ａがクランクギヤ７１に噛合している。クランクギヤ７１は径方向外側に突出する突出部７１ａを有しており、この突出部７１ａに取り付けられたローラ７１ｂがリンク部材７２に形成されているガイド部７２ａに摺動可能に係合している。ガイド部７２ａはリンク部材７２に沿って長尺な長孔で構成されている。このリンク部材７２の端部は回動アーム５６の基端部に軸５６ａから偏心した位置において連結されている。なお、前記ギヤ７０ａには、ギヤ７０ｂが噛合しており、このギヤ７０ｂの回転量をフォトセンサ７０ｃによって検出し、これによって、クラングギヤ７１の回転量を検出するようになっている。
【００４１】
このような構成の回動駆動手段５７では、図８に示すように、第２演出部材２３が最上昇位置にあるときに、リンク部材７２が斜め上方を向いた状態で、そのガイド部７２ａの一端部（上端部）にクランクギヤ７１のローラ７１ｂが係合しており、これによって、回動アーム５６が下方に回動するのをロックした状態となっている。なお、バネ５８は回動アーム５６を上方に付勢している。
【００４２】
この状態からモータ７０を作動させると、図９に示すように、クランクギヤ７１が時計方向に回転し、これに伴ってローラ７１ｂがガイド部７２ａを他端部側に向けて移動しつつ、リンク部材７２が反時計回りに倒れて行く。これによって、回動アーム５６がバネ５８の付勢力に抗して反時計回りに回動するので、第２演出部材２３は軸５６ａを中心に円弧を描くようにして移動して行く。
この際、回動アーム５６を所定の回転角度位置で停止させるには、つまり、第２演出部材２３を所定の位置で保持するには、前記モータ７０の励磁力によって行う。
【００４３】
さらに、モータ７０を作動させると、図１０に示すように、クランクギヤ７１がさらに時計方向に回転し、これに伴ってローラ７１ｂがガイド部７２ａを一端部（左端部）側に向けて移動しつつ、リンク部材７２が軸５６ａを中心に反時計回りに倒れてほぼ水平となる。これによって、回動アーム５６がバネ５８の付勢力に抗してさらに反時計回りに回動するので、第２演出部材２３は軸５６ａを中心に円弧を描くように移動して、最下降位置に達する。
なお、回動アーム５６を最下降位置から最上昇位置に回動させる場合、前記と逆の工程によって行えばよい。
【００４４】
また、前記遊技領域１２には、別の演出装置８０が設けられている。この演出装置８０は図２に示すように、前記演出装置２０の裏側に設けられており、第１演出部材２１が前記待機位置Ａ２にある場合には、演出装置２０や画面用装飾部材１６によってその殆どが隠されている。
【００４５】
前記演出装置８０について、図１１を参照して説明する。
演出装置８０は、画像表示画面１５の前で、左右方向において接離可能に移動する左右一対の可動部材８１，８１と、当該可動部材８１，８１を接離移動させる接離駆動手段８３と、可動部材８１，８１に中央部が正逆方向に回転可能に設けられて、当該可動部材８１，８１と交差するようにして正逆方向に回転可能な回転演出部材８４と、左右一対の可動部材８１，８１が近接した際に、回転演出部材８４をその中央部回りに所定角度回転させる回転駆動手段８５とを備えている。
【００４６】
前記可動部材８１，８１はそれぞれ円弧状に形成され、互いに近接もしくは当接した際にほぼリング状に配置されてリング部８６を構成する（図１３参照）。このリング部８６が構成された際に、前記回転演出部材８４は、その一方の端部がリング部８６の中央部側に向いている（図１３参照）。
可動部材８１，８１のそれぞれの上端部は、遊技盤３に取り付けられたガイド部材８７の下面に左右方向に摺動自在に当接または係合している。
【００４７】
前記接離駆動手段８３は、左右一対の可動部材８１，８１がそれぞれ取り付けられた左右一対のラック８８，８８と、これらラック８８，８８にそれぞれ噛合して当該ラックをそれぞれ左右方向に接離移動させるピニオンギヤ８９，８９と、このピニオンギヤ８９，８９を回転させる駆動モータ９０，９０とを備えている。
前記ラック８８，８８はスライダ９１，９１に取り付けられており、当該スライダ９１，９１はガイドシャフト９２，９２に左右に摺動可能に係合しており、これによってスライダ９１，９１は左右方向に移動可能となっている。
なお、ガイドシャフト９２，９２は遊技盤３に取り付けられた取付板９３に設けられた支持部によって水平に支持されている。
【００４８】
そして、スライダ９１，９１にそれぞれ可動部材８１，８１の下端部が取り付けられている。つまり、可動部材８１，８１はスライダ９１，９１を介してラック８８，８８に取り付けられている。したがって、可動部材８１，８１は、ラック８８，８８が左右に接離移動するに伴って、スライダ９１，９１を介して左右に接離移動するようになっている。
また、前記駆動モータ９０、ピニオンギヤ８９は取付板９３に取り付けられており、当該ピニオンギヤ８９は、取付板９３に取り付けられているギヤ９４に噛合し、このギヤ９４が前記駆動モータ９０によって回転されるようになっている。
したがって、駆動モータ９０，９０を作動させることによって、ギヤ９４，９４、ピニオンギヤ８９，８９を介してラック８８，８８が左右に接離移動し、これによって、スライダ９１，９１が左右に接離移動するに伴って、可動部材８１，８１が左右に接離移動するようになっている。
なお、前記取付板９３には図示を省略したフォトセンサが設けられており、このフォトセンサによって前記ラック８８の移動量を検出するようになっている。
【００４９】
前記回転演出部材８４は、各可動部材８１に２つずつ、合計４つ取り付けられている。
一方の可動部材８１に取り付けられている２つの回転演出部材８４，８４は可動部材８１の周方向に離間して、中央部が正逆方向に回転可能に取り付けられている。同様に他方の可動部材８１に取り付けられている２つの回転演出部材８４，８４は可動部材８１の周方向に離間して、中央部が正逆方向に回転可能に取り付けられている。また、これら４つの回転演出部材８４・・・は、可動部材８１，８１が互いに近接して（図１３参照）、可動部材８１，８１によって円形状のリング部８６が構成された際の当該リング部８６の中心を、中心として点対称に配置され、可動部材８１，８１と交差するようにして正逆方向に回転可能となっている。
【００５０】
回転演出部材８４をその中央部回りに所定角度回転させる回転駆動手段８５は、以下のように構成されている。
すなわちまず、回転駆動手段８５は可動部材８１に沿って設けられた円弧状のラック９５と、ラック９５に噛合する２つの第１ピニオンギヤ９６，９６と、前記ラック９５を円弧状に移動させる移動手段９７とを備えている。
【００５１】
ラック９５には、長孔で構成された３つのガイド部９５ａが周方向に離間して形成されている。ガイド部９５ａには可動部材８１に形成された突出部８１ａが摺動可能に係合しており、これによって、ラック９５は可動部材８１の周方向に沿ってスムーズに移動可能となっている。
【００５２】
右側の可動部材８１に設けられている回転演出部材８４，８４は、それぞれ前記第１ピニオンギヤ９６，９６の軸に取り付けられている。第１ピニオンギヤ９６，９６はラック９５と噛合しているので、ラック９５の移動によって、第１ピニオンギヤ９６，９６が同方向に回転し、これによって、回転演出部材８４，８４が同方向に回転するようになっている。
また、左側の可動部材８１にはギヤ９８，９８が設けられており、このギヤ９８，９８が第１ピニオンギヤ９６，９６に噛合している。そして、左側の可動部材８１に設けられた回転演出部材８４，８４はギヤ９８，９８の軸に取り付けられている。第１ピニオンギヤ９６，９６はラック９５と噛合しているので、ラック９５の移動によって、第１ピニオンギヤ９６，９６が同方向に回転するともにギヤ９８，９８が第１ピニオンギヤ９６，９６と逆方向に回転し、これによって回転演出部材８４，８４が同方向に回転するようになっている。
このようにして、４つの回転演出部材８４・・・は全て同じ方向に回転するようになっている。
【００５３】
前記移動手段９７は、以下のように構成されている。
すなわちまず、移動手段９７は、可動部材８１の下端部に設けられて、ラック９５に噛合する第２ピニオンギヤ９９と、遊技盤３に固定された横部材１００に設けられたガイド部１０１とを備えている。
ガイド部１０１は横部材１００に左右に離間して２つ形成されている。ガイド部１０１，１０１は左右に長尺な長孔で構成されており、当該ガイド部１０１，１０１の互いに対向する端部には、斜め上方に延在するガイド面１０１ａ，１０１ａが形成されている。
【００５４】
前記第２ピニオンギヤ９９の軸はガイド部１０１に挿入されており、当該ガイド部１０１の水平な部位を移動する際は、ガイド部１０１の面に当接しないようになっており、これによって、第２ピニオンギヤ９９は回転しない。
一方、第２ピニオンギヤ９９の軸が、可動部材８１，８１が近接する際にガイド部１０１のガイド面１０１ａに当接して、このガイド面１０１ａとの摩擦力によって回転することによって、第２ピニオンギヤ９９に噛合しているラック９５が円弧状に移動するようになっている。
【００５５】
そして、このような移動手段９７では、左右一対の可動部材８１，８１が、接離駆動手段８３によって、互いに近接または当接してほぼリング状に配置されることで、リング部８６が構成される際に、第２ピニオンギヤ９９がガイド面１０１ａとの摩擦力によって回転し、これに伴ってラック９５が円弧状に移動する。そして、一方の可動部材８１に設けられた回転演出部材８４，８４が、その中央部を回転軸として同一方向に所定角度回転され、他方の可動部材８１に設けられた回転演出部材８４，８４が、その中央部を回転軸として、前記同一方向と同方向に所定角度回転されることで、４つの回転演出部材８４がリング部８６の中央部に対して点対称に配置されるとともに、これら回転演出部材８４のそれぞれの端部がリング部８６の中央部側に向いて配置される（図１３参照）。
【００５６】
次に、上述した構成の遊技機の演出動作の一例について説明する。
Ａ．通常遊技時：
通常遊技時においては、図２に示すように、第１演出部材２１が待機位置Ａ２にあり、また、第２演出部材２３は最上昇位置（待機位置）にあって、第１演出部材２１によって殆どが隠されている。また、演出装置８０を構成する可動部材８１，８１が互いに離間して最も離れた待機位置に位置している。このような待機位置にあるときは、第１演出部材２１は役物飾りの意匠と一体化されている。なお、演出装置８０も殆どが隠れている。また、役物飾りの図示は省略している。
【００５７】
Ｂ．第１段階演出：
遊技の進行により、演出コマンドが発生すると、往復動手段２２によって、図３に示すように、第１演出部材２１が下降して行き、画像表示画面１５の少なくとも略中央部を遮る遮蔽位置Ａ１まで下降する（図３参照）。
すなわち、図５Ａおよび図５Ｂに示すように、モータ３０ａが作動して、モータギヤ３０ｂ，ピニオンギヤ３０ｃを介してラック３２ｃが下降し、これによって、縦型可動部材３２が下降する。この縦型可動部材３２とともに横型可動部材３３も下降し、これによって横型可動部材３３に取り付けられている第１演出部材２１も下降する。そして、この第１演出部材２１を中心として、画像表示画面１５の略中央部を被覆する。なお、この際、横型可動部材３３のインナーアーム４０のガイドローラ４２は、傾斜ガイド部４３ａの入口部（上端部）に位置している。
【００５８】
Ｃ．第２段階演出：
さらに、横型可動部材３３が下降して、そのインナーアーム４０の端部にあるガイドローラ４２が傾斜ガイド部４３ａに入ると、インナーアーム４０が下降しつつ左側に水平移動する。このインナーアーム４０の移動によって、当該インナーアーム４０のラック４０ｂに噛合しているクランクギヤ４１が回転（反時計方向への回転）し、これによって、ガイド部４８の内面が突出部（図６Ａおよび図６Ｂ参照）４１ａによって押され、図４に示すように、演出部材片２１ｂが演出部材片２１ａに対して右斜め下方に移動（下降）して、当該演出部材片２１ａに対して右斜め下方に離間する。
【００５９】
同時に、円弧状駆動手段２４によって、第２演出部材２３が円弧状に移動して、遮蔽位置Ａ１にある第１演出部材２１をその裏側で斜めに横切る。
すなわち、図８に示すように、第２演出部材２３が待機位置にある状態からモータ７０を作動させると、図９に示すように、クランクギヤ７１が時計方向に回転し、これに伴ってローラ７１ｂがガイド部７２ａを他端部側に向けて移動しつつ、リンク部材７２が反時計回りに倒れて行く。これによって、回動アーム５６がバネ５８の付勢力に抗して反時計回りに回動するので、第２演出部材２３は円弧を描くようにして円弧状に移動して行いき、遮蔽位置Ａ１にある第１演出部材２１をその裏側で斜めに横切る。
このようにすることによって、カード状の第２演出部材２３によって、第１演出部材２１を斜めに切断したようなイメージとなり、遊技者にとって興味のある演出となる。したがって、このような演出を遊技中における大当たりの状態に設定してもよい。この際、遊技盤３に設けられている発光素子（図示省略）を点灯あるいは点滅させることによって、光による演出効果を加えると、さらに演出効果が高まる。
【００６０】
さらに、モータ７０を作動させると、図１０に示すように、クランクギヤ７１がさらに時計方向に回転し、これに伴ってローラ７１ｂがガイド部７２ａを一端部（左端部）側に向けて移動しつつ、リンク部材７２が反時計回りに倒れてほぼ水平となる。これによって、回動アーム５６がバネ５８の付勢力に抗してさらに反時計回りに回動するので、第２演出部材２３は円弧を描くようにして円弧状に移動して、最下降位置に達する。
【００６１】
なお、このような演出が終了した場合、第２演出部材２３は前記と逆の工程を経て図８に示すような待機位置に戻るとともに、第１演出部材２１の演出部材片２１ｂが左斜め上方に移動して、演出部材片２１ａに近接または当接し、さらに、第１演出部材２１が上昇して元の待機位置Ａ２に戻る。
【００６２】
Ｃ．第３段階演出：
また、前記各演出段階において、適宜次の演出を組み合わせるが、当該演出は単独で行ってもよい。
図１１に示すように、可動部材８１，８１が左右に離間している状態から、図１２に示すように、接離駆動手段８３によって可動部材８１，８１を近接させるように移動させる。
すなわち、駆動モータ９０，９０を作動させることによって、ギヤ９４，９４、ピニオンギヤ８９，８９を介してラック８８，８８を接近するように移動させ、これによって、スライダ９１，９１が接近するように移動し、可動部材８１，８１が接近するように移動する。
【００６３】
さらに、図１３に示すように、可動部材８１，８１を接近させるように移動させて、左右一対の可動部材８１，８１が、互いに近接または当接してほぼリング状に配置されて、リング部８６が構成される際に、回転駆動手段８５によって４つの回転演出部材８４をその中央部回りに所定角度回転させる。
すなわち、第２ピニオンギヤ９９，９９の軸が、可動部材８１，８１が近接する際にガイド部１０１のガイド面１０１ａに当接して、このガイド面１０１ａとの摩擦力によって回転することによって、第２ピニオンギヤ９９，９９に噛合しているラック９５，９５が円弧状に移動する。この際、右側のラック９５が反時計回りに回転移動し、左側のラック９５が時計回りに回転する。
【００６４】
これによって、図１３に示すように、右側の可動部材８１では、ピニオンギヤ９６，９６が反時計回りに回転し、これに伴って、回転演出部材８４，８４が反時計回りに所定角度回転して、回転演出部材８４，８４のそれぞれの端部がリング部８６の中央部側に向く。
一方、左側の可動部材８１では、ピニオンギヤ９６，９６が時計回りに回転するともに、ギヤ９８，９８が反時計方向に回転し、これに伴って、回転演出部材８４，８４が反時計回りに所定角度回転して、回転演出部材８４，８４のそれぞれの端部がリング部８６の中央部側に向く。
このようにして、４つの回転演出部材８４がリング部８６の中央部に対して点対称に配置されるとともに、これら回転演出部材８４のそれぞれの端部がリング部８６の中央部側に向いて配置される。
【００６５】
さらに、このような演出において、図１４に示すように、円弧状駆動手段２４によって、第２演出部材２３を円弧状に移動して、前記リング部８６の中央部、言い換えれば、４つの回転演出部材８４の中央部側を向く端部側に配置するとともに、第２演出部材２３をその中心回りに回転させてもよい。この場合、図９に示すように、前記モータ６０の駆動軸を回転させることにより、ギヤ６１，６２、ベルト６５、ギヤ６３，６４を介して第２演出部材２３をその中心回りに回転させればよい。
【００６６】
なお、本実施の形態では、第１演出部材２１の下方への移動による演出、第２演出部材２３の円弧状の移動による演出、第２演出部材２３自体の回転による演出、可動部材８１，８１の接離移動による演出、当該可動部材８１，８１に取り付けられた回転演出部材８４の回転による演出等、複数の演出がある。
このような複数の演出の組み合わせは本実施の形態では、上述したような第１段階演出、第２段階演出、第３段階演出等により行ったが、本発明では、演出の組み合わせは実施の形態に限ることなく遊技の進行状況に応じて適宜自由に設定できる。
【００６７】
本実施の形態によれば、往復動手段２２によって、第１演出部材２１が画像表示画面１５の中央部を遮る遮蔽位置Ａ１と、この遮蔽位置Ａ１の上方にあって画像表示画面１５を遮らない待機位置Ａ２との間を往復動する。
そして、円弧状駆動手段２４によって、カード状の第２演出部材２３が円弧状に移動して、遮蔽位置Ａ１にある第１演出部材２１をその裏側で斜めに横切る。
したがって、遊技者にとって、第２演出部材２３が第１演出部材２１を斜めに横切る際に、従来にない視覚的な演出効果を得ることができる。
【００６８】
また、往復動手段２２は、遊技盤３に固定された駆動手段３０と、この駆動手段３０によって上下に往復動される可動部材３１を備え、この可動部材３１に第１演出部材２１が取り付けられているので、当該第１演出部材２１を遮蔽位置Ａ１と待機位置Ａ２との間で容易かつスムーズに往復動させることができる。
さらに、円弧状駆動手段２４が、遊技盤３に基端部が回動可能に取り付けられた回動アーム５６と、この回動アーム５６を回動させる回動駆動手段５７とを備え、回動アーム５６の先端部に第２演出部材２３が取り付けられているので、第２演出部材２３を容易かつスムーズに円弧状に移動させることができる。
【００６９】
また、第１演出部材２１が一対の演出部材片２１ａ，２１ｂを有し、第１演出部材２１が前記遮蔽位置Ａ１にある場合に、一方の演出部材片２１ｂを他方の演出部材片２１ａに対して斜め横方向に離間させる離間手段２５を備えているので、カード状の第２演出部材２３によって、第１演出部材２１を斜めに切断したようなイメージとなるような演出を容易に行うことができる。
加えて、離間手段２５が、可動部材３１に設けられて、第１演出部材２１が遮蔽位置Ａ１に位置する際に、水平方向に移動されるインナーアーム４０と、このインナーアーム４０に係合して当該インナーアーム４０の水平移動によって回転されるクランクギヤ７１を有し、一方の演出部材片２１ｂが、クランクギヤ７１によって押されて、演出部材片２１ａから離間するので、演出部材片２１ｂを演出部材片２１ａから容易に斜め下方に離間させることができる。
【００７０】
また、演出装置８０が画像表示画面１５の前で、左右方向において接離可能に移動する左右一対の可動部材８１，８１と、当該可動部材８１，８１を接離移動させる接離駆動手段８３と、可動部材８１に中央部が正逆方向に回転可能に設けられて、当該可動部材８１と交差するようにして正逆方向に回転可能な回転演出部材８４と、可動部材８１，８１が近接または当接した際に、前記回転演出部材８４をその中央部回りに所定角度回転させる回転駆動手段８５とを備えているので、可動部材８１，８１を近接させるとともに、回転演出部材８４を所定角度だけ回転させることによって、画像表示画面１５の前の演出効果をさらに高めることができる。
【００７１】
また、左右一対の可動部材８１，８１が近接もしくは当接した際に、円弧状駆動手段２４によって第２演出部材２３を可動部材８１，８１で囲まれた範囲のほぼ中央部に位置させるとともに、当該第２演出部材２３を回転させることによって、さらなる演出効果を得ることができる。
【００７２】
また、可動部材８１，８１によってリング部８６が構成された際に、４つの回転演出部材８４は、その一方の端部がリング部８６の中央部側に向いているので、当該回転演出部材８４によって中央部に興味を引くような演出を行うことができる。
さらに、４つ回転演出部材８４は、その中央部を回転軸として、同方向に所定角度回転されることで、リング部８６の中央部に対して点対称に配置されるので、バランス性にも優れた演出を行うことができる。
【００７３】
また、回転駆動手段８５は、各可動部材８１に沿って設けられた円弧状のラック８８と、このラック８８に噛合する第１ピニオンギヤ９６と、ラック８８を円弧状に移動させる移動手段９７とを備え、右側の可動部材８１に設けられている回転演出部材８４は第１ピニオンギヤ９６の軸に取り付けられ、左側の可動部材８１に設けられている回転演出部材８４は、ギヤ９８の軸に取り付けられ、このギヤ９８が第１ピニオンギヤ９６に噛合しているので、回転演出部材８４を容易に同一方向に所定角度回転させることができる。
【００７４】
さらに、移動手段９７は、可動部材８１に設けられて、ラック８８に噛合する第２ピニオンギヤ９９と、ガイド部１０１と備え、第２ピニオンギヤ９９，９９の軸が、左右一対の可動部材８１，８１が近接する際にガイド部１０１のガイド面１０１ａに当接して、このガイド面１０１ａとの摩擦力によって回転することによって、第２ピニオンギヤ９９，９９に噛合しているラック８８，８８が円弧状に移動するので、ラック８８，８８を専用に移動させる駆動モータ等が必要なく、可動部材８１，８１用の駆動モータ９０，９０によって、ラック８８，８８も移動させることができる。
【００７５】
また、接離駆動手段８３が、前記左右一対のラック８８，８８と、これらラック８８，８８にそれぞれ噛合して当該ラック８８，８８をそれぞれ左右方向に移動させるピニオンギヤ８９，８９と、このピニオンギヤ８９，８９を回転させる駆動モータ９０，９０とを備えた構成となっているので、左右一対の可動部材８１，８１を容易かつ安定的に接離移動させることができる。
【００７６】
加えて、遊技盤３が透光性を有する樹脂で形成され、この遊技盤３に発光素子が設けられ、前記各演出装置による演出の際に発光素子が点滅または点灯するので、第１演出部材２１、第２演出部材、可動部材８１、回転演出部材８４による演出と併せて光による演出も行える。
【００７７】
なお、本実施の形態では、第１演出部材２１を図５Ａに示すような往復動手段２２によって上下に往復動させるようにしたが、往復動手段はこれに限ることなく、他の部材によって構成してもよい。
同様に、第２演出部材２３を図８に示すような円弧状駆動手段２４によって円弧状に移動させるようにしたが、円弧状駆動手段はこれに限ることなく、他の部材によって構成してもよい。
さらに、第２演出部材２３によって第１演出部材２１の裏側を斜めに横切らせるように構成したが、これに限ることなく、第１演出部材２１の表側を横切らせるように構成してもよい。
【符号の説明】
【００７８】
３    遊技盤
１２  遊技領域
１５  画像表示画面
２０  演出装置
２１  第１演出部材
２１ａ，２１ａ  演出部材片
２２  往復動手段
２３  第２演出部材
２４  円弧状駆動手段
２５  離間手段
３０  駆動手段
３１  可動部材
４０  インナーアーム
４１  クランクギヤ
５６  回動アーム
５７  回動駆動手段
８０  演出装置
８１  可動部材
８３  接離駆動手段
８４  回転演出部材
８５  回転駆動手段
９７  移動手段
【図１】
0005936452.tif 000002
【図２】
0005936452.tif 000003
【図３】
0005936452.tif 000004
【図４】
0005936452.tif 000005
【図５Ａ】
0005936452.tif 000006
【図５Ｂ】
0005936452.tif 000007
【図６Ａ】
0005936452.tif 000008
【図６Ｂ】
0005936452.tif 000009
【図７】
0005936452.tif 000010
【図８】
0005936452.tif 000011
【図９】
0005936452.tif 000012
【図１０】
0005936452.tif 000013
【図１１】
0005936452.tif 000014
【図１２】
0005936452.tif 000015
【図１３】
0005936452.tif 000016
【図１４】
0005936452.tif 000017